(57)【特許請求の範囲】
【請求項１】
保持枠７により保持されて床として機能する可動床５を設け、この可動床５を撤去することにより小屋１が設置されている設置面６を露呈させることで屋根２と壁３により日照から回避された設置面６に生物を滞在させるようにした小屋であって、保持枠７を設置面６に至る下方まで表面を湾曲させた壁を形成する構成とすることで生物の皮膚は壁による面接触になり、皮膚の保護を図るようにした小屋。
【請求項２】
保持枠７により保持されて床として機能する可動床５を設け、この可動床５を撤去することにより小屋１が設置されている設置面６を露呈させることで屋根２と壁３により日照から回避された設置面６に生物を滞在させるようにした小屋であって、保持枠７を設置面６に至る下方まで表面を湾曲させた壁を形成する構成とし、出入り口４から隔たった所に寝床スペ−スとなる可動床９を設けた小屋。
【請求項３】
保持枠７により保持されて床として機能する可動床５を設け、この可動床５を撤去することにより小屋１が設置されている設置面６を露呈させることで屋根２と壁３により日照から回避された設置面６に生物を滞在させるようにした小屋であって、保持枠７を設置面６に至る下方まで表面を湾曲させた壁を形成する構成とし、この可動床５内に収納される台１１を設け、台１１を可動床５から引き出して排出することで可動床５の延長上にあるデッキとして機能する様にした小屋。
【発明の詳細な説明】
【０００１】
【発明の属する技術分野】
この発明は、暑さ対策を施した小屋に関するものである。なお、この小屋においては動物の飼育小屋に関する発明に属するものであるが、この小屋を人家として扱うことにより、人物がキャンプ等の利用にも応用範囲が広がるために、【特許請求の範囲】については動物と人物とを一括して生物として表記した。又、これ以降の明細書においては、動物の中でも犬が発明の構成の趣旨としてふさわしい対象物であるために、これを引用例として述べることにする。
犬は寒さにおいては十分に対応可能であるが、暑さにおいては汗腺が足の裏のみの生体等から脆弱な動物であると言われる。この動物をペットとして飼う場合には、小屋においても暑さ対策を考慮することが重要なものとなってくる。
【０００２】
【従来の技術】
従来の小屋は屋根と四方の壁による密閉構成のために防雨及び防寒の機能を備えている。正面の壁には犬が出入りするための出入り口が設けられている。又、床は底上げ構成のために防湿及び防浸水の機能を備えている。
【０００３】
【発明が解決しようとする課題】
夏等の暑い日において、犬は従来の小屋内に滞在するため日照からの回避が可能である。なお、小屋は一般にコンクリートの土間、地面、芝生等に設置されているが、この様な場所の日陰の所を選んで犬が伏せているのを見掛けることがある。コンクリートの土間の場合は素材の吸熱効果が高いためか、地面、芝生の場合は天然素材であるためか、何れにしてもその状況は清涼感があって快適性があるものと思われる。そこで小屋の屋根を延伸させる、又は外壁に日よけを設けて、小屋の設置場所周辺に日陰の状況を造ることも一手段である。なお、この構成とした場合、犬がその箇所に乗り上げた際は重みで小屋を転倒させてしまう危惧がある。勿論、屋根の延伸部や日よけは頑強でないと損壊の問題があるため、その箇所の先端に柱を設けて補強することになる。但し、柱を設けると柱に首輪チェーンが巻き付き易くなり、柱の倒壊や犬の行動範囲の減少といった新たな危惧が発生してしまう。又、屋根の延伸部や日よけが小屋の設置スペースを拡大させてしまう点も問題である。つまり日照から回避できて、しかも快適な小屋の設置場所と同じ環境を小屋内に構成できれば、上述の諸問題点は解消されることになる。なお、土間、地面、芝生等の設置場所を総じて設置面と呼称して、これ以降の明細書及び図面において表記する。
【０００４】
【課題を解決するための手段】
小屋１は屋根２と周囲の壁３及び床により構成され、又、正面の壁３には犬が出入りするための出入り口４が設けられている。この小屋１において、可動床５を撤去することにより、小屋１が設置されている設置面６を露呈させる。屋根２と壁３により日照から回避された設置面６に犬を滞在させることで快適性を高める様にする。
【０００５】
【発明の実施の形態】
図１に示すものは小屋１を透視した正面図である。この図においては、出入り口４と接した箇所から出入り口４正面奥の突き当たりの壁３に至る方形床が可動床５である。可動床５は通常時は保持枠７により保持されていて床として機能している。この可動床５を保持枠７に沿って、又は保持枠７から持ち上げることで出入り口４から撤去できる構成となっている。なお、可動床５の撤去は夏等の暑い状況時に行われるものであり、撤去後は可動床５が床として位置していた、その真下に設置面６が露呈することになる。設置面６はコンクリートの土間、地面、芝生が一般的であるが、何れも犬が暑さを凌ぐには良い素材であり、又、小屋１内の設置面６は屋根２と壁３により日照から回避されているため、外部の設置面６と比較して設置面６の表面温度は低く抑えられている。素材の点から比較した場合、従来の小屋１の床は木材、鉄板、樹脂材等であるから設置面６の方が優れている。又、小屋１の床は浸水等を防ぐために底上げ構成となっているが、暑さを凌ぐには床に伏せるよりも地べたで涼む方が喜ぶものである。この様な環境作りが暑さ対策の一手段であり、エアコン等の人工的なものに依存しない、自然の作用を活用した構成としてある。
【０００６】
【実施例】
保持枠７はその目的から凸部形状となり易い。この形状であると保持枠７と犬の皮膚が接触して皮膚を傷めてしまう。特に犬が急に起き上がった場合等は危険である。そのため保持枠７を凸部形状としないで、設置面６に至る下方まで壁を形成する形状とすることで面接触による皮膚の保護が図られる構成とする。更に、この壁も単なる壁形状でなく、表面を湾曲させることによりバスケットの中に犬が収まる様な快適な居住空間を創造する。なお、図１に示す様に完全なバスケット形状としない、つまり図面左側の保持枠７、図面右側の保持枠７、及び出入り口４正面奥の突き当たりの壁３側の保持枠７から成る３方向の壁をもつ形状とした。又、保持枠７の壁の表面に通気スリット８を網羅することで、犬の滞在する設置面６に３方向から風を送り込ませて涼感が得られる様な構成とする。又、図１においては、出入り口４から隔たった所の床、つまり可動床５の右隣の床が寝床スペースとなっている。寝床スペースは犬が一番安堵できる場所であり、その意味から人間が安易に干渉してはいけない場所である。それにもかかわらず寝床スペースの床を可動床としているのは次の理由からである。つまり、この可動床をここから出入り口４を経て外部に撤去して、床上の清掃が簡便に行える様にしたものである。使用目的が異なるために、この可動床を可動床５と区別して可動床９とした。又、可動床９を保持する保持枠は単に保持だけが目的であるため、保持枠７と区別して保持枠１０とした。
図２に示すものは可動床５の透視側面図である。この図における可動床５内には台１１が収納されており、この台１１が可動床５から引き出されている状況を示している。実際に台１１を引き出す場合は、可動床５が床として機能している時点である。可動床５から引き出して排出された台１１は出入り口４の外に突出した位置にある。つまり台１１は可動床５の延長上にあるデッキとして機能することになる。
【０００７】
【発明の効果】
（ａ）  日照から回避された土間、地面、芝生等の環境は暑さ対策として有効な手段であるが、この好環境を小屋１内に構成することができた。日陰の状況の設置面６が頑強な小屋１内にあるため、屋根の延伸部や日よけを設けることによる損壊の問題もない。更に、屋根の延伸部や日よけが不要であるため設置スペースの点で有効である。
（ｂ）  可動床５を撤去するという簡便な作業により暑さ対策が施せるが、これにより犬は快適に過ごせるだけでなく、体力減退、日射病、熱射病を未然に防止することが可能である。又、エアコン等に依存しない、自然の作用を活用した構成であるため、犬の体に優しく作用し、経済性の点でも優れている。
（ｃ）  屋根の延伸部や日よけの場合、それらにより日照から回避される設置面６は時間の経過と供に移動する。つまり回避場所もその時点の以前は日照範囲であるため、その設置面６の表面温度はそれ程低くはない。しかし本発明の場合は、屋根２と四方の壁３により長時間回避されるため、小屋１内の設置面６の表面温度は低く維持されている。
（ｄ）  小屋１内の設置面６は出入り口４と接した箇所にあるため風通しが良く、又、保持枠７の壁の表面に通気スリット８を網羅することで小屋１内の設置面６の環境を高めている。又、犬は出入り口４付近で滞在できるため、番犬としての務めが無難に行えることでストレスを抱くということもない。
（ｅ）  保持枠７を設置面６に至る下方まで壁を形成する形状とし、更に、その表面を湾曲成型することで快適な居住空間を創造することができる。
（ｆ）  保持枠７を完全なバスケット形状としない、３方向の壁をもつ形状とした。出入り口４側にも保持枠７を設けることに支障はないが、これを削除することにより小屋１内の設置面６と外部の設置面６との境界がなくなるため、犬の出入りが円滑に行えることになる。
（ｇ）  寝床スペースの床は固定型であっても構わないが、可動床９とすることにより有効な機能が加わることになる。なお、可動床９は通常は床として機能しているため、例えば夏に多い雷雨で設置面６が浸水された際でも可動床９の上に非難することが可能である。
（ｈ）  出入り口４付近に台１１を内蔵した可動床５を配置することにより、暑い日には避暑目的に、又、快適な日には日光浴目的にと２つの機能を合理的に行うことができる。
（ｉ）  又、出入り口４を網や檻等で遮蔽したドアに変更することにより、他の動物の飼育小屋として利用できるものとなる。なお、設置面６に穴を掘る可能性のある動物においてはコンクリートの土間での使用に制限するべきである。
（ｊ）  又、人家としての小屋１に関しては、保持枠７における湾曲成型の壁を、その一部を背もたれ部、続いて座部とした、いすの形状に進化させることも有効である。この小屋１の場合はキャンプ等での利用が考えられるが、設置面６が足元にあるため涼しいのは勿論、自然と接することによる解放感を満喫することになる。なお、就寝時に可動床５を再度床として機能させれば、就寝スペースも十分に確保できることになる。
【図面の簡単な説明】
【図１】本発明の透視正面図
【図２】構成を加えた、可動床５の透視側面図
【符号の説明】
１  は小屋              ２  は屋根              ３  は壁
４  は出入り口          ５  は可動床            ６  は設置面
７  は保持枠            ８  は通気スリット      ９  は可動床
１０  は保持枠          １１  は台
【図１】
0003771427.tif 000002
【図２】
0003771427.tif 000003